(57)【特許請求の範囲】
【請求項１】
左右の吊り元側門柱体(1) 及び戸当たり側門柱体(2) 間に、伸縮機構(31)を有し且つ地面(3) 側のガイドレール(5) に沿って開閉方向に伸縮する門扉本体(4) を配置した伸縮門扉において、前記門扉本体(4) は伸縮方向の両端に配置された吊り元側端枠(8) 及び戸当たり側端枠(9) と、該両端枠(8)(9)間に配置された１個又は複数個の装飾枠(11)とを備え、前記両端枠(8)(9)及び前記装飾枠(11)は前記門扉本体(4) が前記吊り元側門柱体(1) 側に収縮したときに前記伸縮機構(31)がその内部に収まり且つ前記装飾枠(11)及び前記両端枠(8)(9)の開閉方向に隣り合う端面が当接して前記吊り元側門柱体(1) と共に吊り元側門柱(A) を構成可能であり、前記戸当たり側端枠(9) 及び前記装飾枠(11)は走行用の内外一対の車輪(16)と、前記ガイドレール(5) に係合して前記戸当たり側端枠(9) 、前記装飾枠(11)を開閉方向に案内すると共に前記門扉本体(4) の内外方向への転倒を防止する係合体(17)とを備えたことを特徴とする伸縮門扉。
【発明の詳細な説明】
【０００１】
【発明の属する技術分野】
本発明は、門扉本体の中間に装飾枠を備えた伸縮門扉に関し、門扉本体が一方の門柱側に収縮したときに、装飾枠が一方の門柱体と共に一方の門柱を構成するようにしたものである。
【０００２】
【従来の技術】
伸縮門扉には、従来、特開平１２−８７５１号公報等に記載されるように、ガレージ等の出入り口に設けるタイプのものがある。この伸縮門扉は、幅の狭い型材等により構成された吊り元支柱と戸当たり支柱とを出入口の左右両側に配置すると共に、この吊り元支柱と戸当たり支柱との間に、開閉方向に伸縮自在な門扉本体を配置している。
【０００３】
門扉本体は、幅の狭い型材等により構成された吊り元側端枠と戸当たり側端枠とを伸縮方向の両端に配置し、この吊り元側端枠と戸当たり側端枠とを、複数個の傾斜リンクを交差状に組み合わせたパンタグラフ機構で連結したもの、或いはそのパンタグラフ機構に、開閉方向に所定間隔をおいて配置された複数個の縦枠材を組み合わせたもの等がある。そして、門扉本体の吊り元側端枠を吊り元側支柱に連結し、戸当たり側端枠を戸当たり側支柱に当接させて施錠するようにしている。
【０００４】
【発明が解決しようとする課題】
従来の伸縮門扉は、吊り元支柱、戸当たり支柱、吊り元側端枠、戸当たり側端枠を幅の狭い型材等により構成しているため、構造的に簡単で比較的安価に製作できる反面、高級感、その他の点で意匠性に欠ける欠点がある。
【０００５】
また型材等から成る吊り元支柱及び戸当たり支柱に代えて、所定の広幅の門柱を使用し、その門柱間に門扉本体を配置する構成を採用することも考えられる。しかし、この場合には、門扉本体を収縮させたときに、その収縮状態の門扉本体が吊り元の門柱側に露出するため、その吊り元側に特別な収納式の門柱を設ける必要があり、しかも施工時の門扉本体と収納式の門柱との連結作業も面倒になる欠点がある。
【０００６】
更に各門柱に所定の広幅のものを使用しても、両門柱間の門扉本体がパンタグラフ機構、或いはこれに幅の狭い縦枠材を組み合わせもの等であるため、門扉本体側が門柱に比べて貧弱になり、門柱、門扉本体を含む全体の調和を採り難くなる問題がある。
【０００７】
本発明は、このような従来の問題点に鑑み、全体の意匠性を良好にできると共に、特別な門柱体を使用する必要がなく、製作、施工を容易にできる伸縮門扉を提供することを目的とする。
【０００８】
【課題を解決するための手段】
本発明は、左右の吊り元側門柱体1 及び戸当たり側門柱体2 間に、伸縮機構31を有し且つ地面3 側のガイドレール5 に沿って開閉方向に伸縮する門扉本体4 を配置した伸縮門扉において、前記門扉本体4 は伸縮方向の両端に配置された吊り元側端枠8 及び戸当たり側端枠9 と、該両端枠8,9 間に配置された１個又は複数個の装飾枠11とを備え、前記両端枠8,9 及び前記装飾枠11は前記門扉本体4 が前記吊り元側門柱体1 側に収縮したときに前記伸縮機構31がその内部に収まり且つ前記装飾枠11及び前記両端枠8,9 の開閉方向に隣り合う端面が当接して前記吊り元側門柱体1 と共に吊り元側門柱A を構成可能であり、前記戸当たり側端枠9 及び前記装飾枠11は走行用の内外一対の車輪16と、前記ガイドレール5 に係合して前記戸当たり側端枠9 、前記装飾枠11を開閉方向に案内すると共に前記門扉本体4 の内外方向への転倒を防止する係合体17とを備えたものである。
【０００９】
【発明の実施の形態】
以下、本発明の実施形態を図面に基づいて詳細に説明する。図１〜図７は本発明の第１の実施形態を例示する。図１及び図２において、１  は吊り元側門柱体、２  は戸当たり側門柱体で、これらの門柱体１，２  は出入口の左右両側に所定の間隔をおいて地面３  に立設されている。４  は門扉本体で、両門柱体１，２  間に配置され、両門柱体１，２  間で地面３  側に敷設されたガイドレール５  に沿って開閉方向に伸縮自在に構成されている。
【００１０】
各門柱体１，２  は所定の左右幅を有する広幅状であって、その少なくとも前後両面及び上面に装飾用の外装板６  が装着されている。なお、両門柱体１，２  の内、少なくともその一方には、郵便物、新聞等の投入口７  が設けられている。
【００１１】
門扉本体４  は、伸縮方向の両端に配置された吊り元側端枠８  及び戸当たり側端枠９  と、これら吊り元側端枠８  及び戸当たり側端枠９  間に伸縮方向に配置された複数、例えば４個の扉体１０とを備え、その隣り合う扉体１０間に装飾枠１１が設けられている。
【００１２】
吊り元側端枠８  、戸当たり側端枠９  及び装飾枠１１は、例えば図３〜図５に装飾枠１１側を例示するように、前後に配置された前枠部１２と後枠部１３、及びこれら枠部１２，１３  の上下両端を前後に連結する連結枠部１４，１５  を備えた縦長矩形状の枠体により構成されており、その吊り元側端枠８  は吊り元側門柱体１  に固定され、また戸当たり側端枠９  及び装飾枠１１は下部側に前後一対の車輪１６と、ガイドレール５  に相対移動自在に係合する係合体１７とを備え、開閉方向に移動自在になっている。
【００１３】
そして、吊り元側端枠８  、戸当たり側端枠９  及び装飾枠１１は、門扉本体４  が吊り元側門柱体１  側に収縮したときに、その内部に各扉体１０が収まり、開閉方向に隣り合う各枠８，９，１１の端面が互いに当接して一つの門柱Ａ  を構成するようになっている（図７参照）。また吊り元側端枠８  、戸当たり側端枠９  及び装飾枠１１には、その前後両面及び上面に、門柱体１，２  側の外装板６  と同じ外装板１８が装着され、門柱体１，２  と統一的に調和する装飾が施されている。
【００１４】
なお、吊り元側端枠８  、戸当たり側端枠９  及び装飾枠１１は、その前後幅が門柱体１，２  の前後幅と略同じであり、その前後両端面及び上面が門柱体１，２  側の前後両端面及び上面と略面一状になっている。また吊り元側端枠８  及び戸当たり側端枠９  の左右幅は略同じであり、装飾枠１１の左右幅は吊り元側端枠８  及び戸当たり側端枠９  の左右幅と同じか又はそれ以上で、門柱体１，２  の左右幅よりも狭くなっている。戸当たり側端枠９  には、閉状態で戸当たり側門柱体２  に施錠するための施錠手段１９と、開閉操作用の把手２０とが内外両側に設けられている。
【００１５】
戸当たり側端枠９  及び装飾枠１１の下部には前後方向の車軸２１が設けられ、この車軸２１により車輪１６が回転自在に支持されている。なお、車軸２１は、各車輪１６ごとに独立させても良い。係合体１７は、戸当たり側端枠９  及び装飾枠１１の下部、即ち、下側の連結枠部１５の前後方向の略中央に設けられている。そして、係合体１７は、図６に示すように、連結枠部１５から下方に突出する縦軸部２２と、この縦軸部２２の下端側に略同心状に設けられた円板状、その他の係合部２３とを備え、その縦軸部２２が連結枠部１４，１５  に上下方向に位置調整可能に固定されている。なお、縦軸部２２には、円筒状の回転体２５が套嵌されている。
【００１６】
ガイドレール５  は、係合体１７を介して戸当たり側端枠９  、装飾枠１１を開閉方向に案内するためのもので、図６に示すように、係合体１７が相対移動自在に嵌合する係合溝２６と、この係合溝２６の前後両側から内向きに突出する係合突部２７とが長手方向の略全長に設けられている。そしてガイドレール５  は、両係合突部２７で係合体１７を開閉方向に案内すると共に、戸当たり側端枠９  及び装飾枠１１の内外方向に傾動したときに、両係合突部２７の下面の係合面２８で係合体１７の係合部２３が下側から係合して、門扉本体４  の内外方向への転倒を防止するようになっている。
【００１７】
各扉体１０は、複数個の傾斜リンク２９，３０  を交差上に組み合わせたパンタグラフ機構３１により構成されている。なお、パンタグラフ機構３１により伸縮機構が構成されている。各傾斜リンク２９，３０  は、図３〜図５に示すように、各扉体１０の両端側を除く中間の各交差部が前後方向の枢軸３２により相対回動自在に枢着され、また各扉体１０の両端の略中央の交差部が固定枢軸３３により各枠８，９，１１側に上下動不能に連結され、その上下両側の交差部が可動枢軸３４により各枠８，９，１１側に上下動自在に連結されている。各扉体１０は、同時に連係して伸縮しないように各装飾枠１１を介して相互に連結されており、門扉本体４  の開閉時に夫々別々に伸縮可能である。なお、各枠８，９，１１には、図４、図５に示すように、各扉体１０の両端に夫々対応して前枠部１２及び後枠部１３の内側に上下方向にガイド部材３５が装着され、そのガイド部材３５に可動枢軸３４の前後両端の摺動体３６が上下方向に摺動自在に嵌合されている。
【００１８】
なお、外装板６，１８には、１枚又は複数枚の矩形状の珪酸カルシウム板が使用されている。吊り元側門柱体１  、戸当たり側門柱体２  、吊り元側端枠８  、戸当たり側端枠９  及び装飾枠１１の幅方向の両側又は当接面側には、外装板６，１８を保護するように保護板３７が装着されている。
【００１９】
上記構成の伸縮門扉において、出入口を開放する場合には、図７に示すように、門扉本体４  を吊り元側門柱体１  側に寄せて収縮させる。この場合、門扉本体４  の各扉体１０は収縮状態で戸当たり側端枠９  、装飾枠１１及び吊り元側端枠８  内に収まり、隣り合う戸当たり側端枠９  、装飾枠１１及び吊り元側端枠８  の端面同士が当接する。
【００２０】
これによって戸当たり側端枠９  、装飾枠１１及び吊り元側端枠８  が吊り元側門柱体１  と共に一つの門柱Ａ  を構成し、その内部にパンタグラフ機構３１を含む扉体１０が収まっているため、従来のように門扉本体４  の扉体１０が外部に露出することはなく、全体の外観上の意匠性が良好になる。また吊り元側門柱体１  に通常の非収納式のものを使用できるので、施工等に際しても、門扉本体４  の吊り元側端枠８  の吊り元側門柱体１  に対する連結作業、その他を容易にできる。
【００２１】
特に戸当たり側端枠９  、装飾枠１１及び吊り元側端枠８  には、その前後両面及び上面に左右の門柱体１，２  側の外装板６  と同様の外装板１８を装着して、統一的に調和するように構成しているため、意匠性が更に向上する。
【００２２】
また戸当たり側端枠９  、装飾枠１１の下側には係合体１７があり、その係合体１７がガイドレール５  に係合しているため、門扉本体４  を吊り元側門柱体１  側に寄せた状態でも、その門扉本体４  の戸当たり側端枠９  等が内外方向に不安定に移動したり傾斜したりすることはなく、門扉本体４  を安定した状態に維持できる。
【００２３】
出入口を閉じる場合には、戸当たり側端枠９  の把手２０を把持して門扉本体４  を戸当たり側門柱体２  側へと伸長させる。このとき戸当たり側端枠９  、装飾枠１１の下部の車輪１６が地面３  上を転動し、係合体１７がガイドレール５  により案内されるため、戸当たり側端枠９  、装飾枠１１はガイドレール５  に沿って戸当たり側門柱体２  側へと走行する。この場合、門扉本体４  の各扉体１０を構成するパンタグラフ機構３１が伸長するが、各扉体１０は装飾枠１１の両側で分離されているため、戸当たり側端枠９  側の扉体１０から順次伸長し、各扉体１０を個別に伸縮させることができる。
【００２４】
戸当たり側端枠９  を戸当たり側門柱体２  に当接させた場合には、門扉本体４  の両端の吊り元側端枠８  が吊り元側門柱体１  に、戸当たり側端枠９  が戸当たり側門柱体２  に当接した状態となり、これらによって出入口の両側の門柱を夫々構成できる。また両側の門柱体１，２  間に、幅の広い複数個の装飾枠１１が略等間隔をおいて配置されるため、単なるパンタグラフ機構３１で門扉本体４  を構成する場合に比較して、装飾枠１１によって安定感、重量感が生じる等、伸長状態での門扉本体４  の意匠性も向上する。
【００２５】
門扉本体４  の中間に幅の広い装飾枠１１を配置した場合、その装飾枠１１が受ける風圧が大になるが、装飾枠１１の下側の係合体１７がガイドレール５  に係合して、その内外方向への傾斜を規制するようにしているため、風圧等による門扉本体４  の転倒を防止できる。
【００２６】
図８は本発明の第２の実施形態を例示する。この実施形態では、各扉体１０に開閉方向に所定間隔を置いて複数個の縦枠材３８が配置され、パンタグラフ機構３１の傾斜リンク２９，３０  の各交差部の内、その上下方向の中間の固定枢軸３３ａ  が縦枠材３８の上下方向の中間に上下動不能に連結され、上下両側の可動枢軸３４ａ  が固定枢軸３３ａ  の上下両側で縦枠材３８に上下摺動自在に連結されている。なお、縦枠材３８は、パンタグラフ機構３１の前後両側に配置され、上下両端で前後に連結されており、門扉本体４  を収縮させたときに吊り元側端枠８  、装飾枠１１及び戸当たり側端枠９  内に収まるようになっている。
【００２７】
門扉本体４  を構成する扉体１０は、第１の実施形態に例示するようにパンタグラフ機構３１のみで構成する他、この第２の実施形態に例示するようにパンタグラフ機構３１に複数個の縦枠材３８を組み合わせて構成することも可能である。
【００２８】
以上、本発明の各実施形態について詳述したが、本発明はこの各実施形態に限定されるものではない。例えば、各実施形態では、門扉本体４  を複数個の扉体１０により構成し、その各扉体１０相互のパンタグラフ機構３１が連係しないように、中間の装飾枠１１を介して各扉体１０を連結しているが、装飾枠１１の両側のパンタグラフ機構３１が連係して伸縮するように構成しても良い。
【００２９】
その場合には、吊り元側端枠８  と戸当たり側端枠９  とに跨がって連続するようにパンタグラフ機構３１を構成し、そのパンタグラフ機構３１の中間に、第２の実施形態の縦枠材３８とパンタグラフ機構３１との連結構造と同様の連結構造により、所定間隔をおいて１個又は複数個の装飾枠１１を連結すれば良い。
【００３０】
また門扉本体４  をパンタグラフ機構式とする場合、そのパンタグラフ機構３１は各実施形態に例示するように上下方向に１組設けるだけでも良いし、上下平行に２組程度設ける等、上下方向に複数組設けても良い。
【００３１】
門扉本体４  は、パンタグラフ機構式に限らず、伸縮可能なものであれば十分である。例えば、上下両側に水平リンクを交差状に配置した水平リンク式の伸縮構造のものを使用することもできるし、その他の伸縮形式のものを使用することもできる。
【００３２】
各実施形態では、吊り元側端枠８  、戸当たり側端枠９  の左右幅を同じとし、装飾枠１１の左右幅をその略２倍程度にしているが、装飾枠１１の左右幅が端枠８，９  よりも若干広い程度にしても良いし、端枠８，９  と装飾枠１１との左右幅を略同じにしても良い。吊り元側端枠８  、戸当たり側端枠９  及び装飾枠１１は、その前後端面が略面一状に一致するように、その前後幅を略同一にすることが望ましいが、必ずしも略同一幅にする必要はなく、前端面が略面一状に一致すれば十分である。
【００３３】
門扉本体４  は、各実施形態に例示するように、その吊り元側端枠８  を吊り元側門柱体１  に固定した場合には、戸当たり側端枠９  が移動端枠となるが、門扉本体４  の両端を戸当たり側端枠９  として、その各戸当たり側端枠９  に施錠手段１９を設ける等により、必要に応じて左右何れ側からでも開閉できるようにしても良い。その場合には、門扉本体４  の両端の戸当たり側端枠９  が移動端枠となる。
【００３４】
門柱体１，２  、端枠８，９  、装飾枠１１等に装着する外装板６  には珪酸カルシウム板が使用されているが、アルミ板、鋼板、石膏板、セラミック板、セメント板、その他の建築用外壁材の他、格子体、鋳物製パネル等を使用しても良い。門柱体１，２  、端枠８，９  、装飾枠１１等に使用する外装板６  は、同一形状のものである必要はなく、門柱体１，２  、端枠８，９  、装飾枠１１の全体で統一的に調和のとれたものであれば、形状、構造、種類が異なるものを使用しても良い。
【００３５】
【発明の効果】
本発明によれば、左右の吊り元側門柱体1 及び戸当たり側門柱体2 間に、伸縮機構31を有し且つ地面3 側のガイドレール5 に沿って開閉方向に伸縮する門扉本体4 を配置した伸縮門扉において、門扉本体4 は伸縮方向の両端に配置された吊り元側端枠8 及び戸当たり側端枠9 と、該両端枠8,9 間に配置された１個又は複数個の装飾枠11とを備え、両端枠8,9 及び装飾枠11は門扉本体4 が吊り元側門柱体1 側に収縮したときに伸縮機構31がその内部に収まり且つ装飾枠11及び両端枠8,9 の開閉方向に隣り合う端面が当接して吊り元側門柱体1 と共に吊り元側門柱A を構成可能であり、戸当たり側端枠9 及び装飾枠11は走行用の内外一対の車輪16と、ガイドレール5 に係合して戸当たり側端枠9 、装飾枠11を開閉方向に案内すると共に門扉本体4 の内外方向への転倒を防止する係合体17とを備えているので、全体の意匠性が良好になると共に、門柱体1,2 に特別なものを使用する必要がなく、製作、施工を容易にできる。
【図面の簡単な説明】
【図１】本発明の第１の実施形態を示す伸縮門扉の正面図である。
【図２】本発明の第１の実施形態を示す伸縮門扉の平面図である。
【図３】本発明の第１の実施形態を示す装飾枠側の側面断面図である。
【図４】本発明の第１の実施形態を示す装飾枠側の一部破断正面図である。
【図５】本発明の第１の実施形態を示す装飾枠側の平面断面図である。
【図６】本発明の第１の実施形態を示す伸縮門扉の下部側の側面断面図である。
【図７】本発明の第１の実施形態を示す伸縮門扉の開状態の正面図である。
【図８】本発明の第２の実施形態を示す伸縮門扉の正面図である。
【符号の説明】
１      吊り元側門柱体
２      戸当たり側門柱体
４      門扉本体
９      戸当たり側端枠
１１    装飾枠
３１    パンタグラフ機構（伸縮機構）
Ａ      門柱
【図１】
0003622081.tif 000002
【図２】
0003622081.tif 000003
【図３】
0003622081.tif 000004
【図４】
0003622081.tif 000005
【図５】
0003622081.tif 000006
【図６】
0003622081.tif 000007
【図７】
0003622081.tif 000008
【図８】
0003622081.tif 000009